【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
データパケット送信方法であって、
少なくとも１つのサービスデータユニット（ＳＤＵ）またはセグメントされたサービスデータユニットをデータパケットペイロードに含むように形成するステップと、
インディケータをデータパケットヘッダに形成するステップと、
前記データパケットヘッダと前記データパケットペイロードを含んだデータパケットを形成するステップと、
送信装置が、前記データパケットをチャネルを介して送信するステップと、
を含み、
前記インディケータは、前記データパケットペイロードが前記セグメントされたサービスデータユニットで始まっているか否かと、前記データパケットペイロードが前記セグメントされたサービスデータユニットで終わっているか否か、を示すものである、
データパケット送信方法。
【請求項２】
前記データパケットペイロードが、
複数のサービスデータユニット、複数のセグメントされたサービスデータユニット、または少なくとも１つのサービスデータユニットと１つのセグメントされたサービスデータユニットを含む場合に、
前記インディケータは前記データパケットペイロードがセグメントされたサービスデータユニットで始まっているか否かと、前記データパケットペイロードがセグメントされたサービスデータユニットで終わっているか否かを示す、
請求項１記載のデータパケット送信方法。
【請求項３】
前記インディケータは第１ビットと第２ビットを含み、
前記第１ビットは前記データパケットペイロードが前記セグメントされたサービスデータユニットで始まっているか否かを示し、
前記第２ビットは前記データパケットペイロードが前記セグメントされたサービスデータユニットで終わっているか否かを示す、
請求項２記載のデータパケット送信方法。
【請求項４】
前記データパケットペイロードが少なくとも１つのサービスデータユニットまたはセグメントされたサービスデータユニットを含む場合には、前記インディケータは、前記データパケットペイロードが前に送られたデータパケットのデータパケットペイロードと結合されるべきであるか否かと、
前記データパケットペイロードが次に送られるデータパケットペイロードと結合されるべきであるか否かを示す、
請求項１記載のデータ送信方法。
【請求項５】
データパケットを送信する装置であって、
データパケットペイロードが少なくとも１つのサービスデータユニットまたはセグメントされたサービスデータユニットを含むように形成するデータパケットペイロード形成部と、
データパケットヘッダがインディケータを含むように形成するデータパケットヘッダ形成部と、
データパケットが前記データパケットヘッダと前記データパケットペイロードを含むように形成するデータパケット形成部と、
前記データパケットを送信チャネルを介して送信する送信部とを含み、
前記インディケータは、前記データパケットペイロードがセグメントされたサービスデータユニットで始まっているか否かと、前記データパケットペイロードがセグメントされたサービスデータユニットで終わっているか否かを示す、
装置。
【請求項６】
前記データパケットペイロードが、
複数のサービスデータユニット、複数のセグメントされたサービスデータユニット、
または少なくとも１つのサービスデータユニットと１つのセグメントされたサービスデータユニットを含む場合に、
前記インディケータは前記データパケットペイロードがセグメントされたサービスデータユニットで始まっているか否かと、前記データパケットペイロードがセグメントされたサービスデータユニットで終わっているか否かを示す、
請求項５記載の装置。
【請求項７】
前記インディケータは第１ビットと第２ビットを含み、
前記第１ビットは前記データパケットペイロードが前記セグメントされたサービスデータユニットで始まっているか否かを示し、
前記第２ビットは前記データパケットペイロードが前記セグメントされたサービスデータユニットで終わっているか否かを示す、
請求項６記載の装置。
【請求項８】
前記データパケットペイロードが少なくとも１つのサービスデータユニットまたはセグメントされたサービスデータユニットを含む場合には、前記インディケータは、前記データパケットペイロードが前に送られたデータパケットのデータパケットペイロードと結合されるべきであるか否かと、
前記データパケットペイロードが次に送られるデータパケットペイロードと結合されるべきであるか否かを示す、
請求項５記載の装置。
【請求項９】
データパケットヘッダとデータパケットペイロードを含むデータパケットを受信する方法であって、
受信装置が、
少なくとも１つのサービスデータユニットまたはセグメントされたサービスデータユニットを含むデータパケットペイロードと、
インディケータを含むデータヘッダと、
を含むデータパケットをチャネルを介して受信するステップと、
前記受信したデータパケットの少なくとも１つのサービスデータユニットまたはセグメントされたサービスデータユニットを、前に受信したデータパケットと共に受信バッファに蓄積するステップと、
を含み、
前記インディケータは前記データパケットペイロードがセグメントされたサービスデータユニットで始まっているか否かと、前記データパケットペイロードがセグメントされたサービスデータユニットで終わっているか否かを示す、
データ受信方法。
【請求項１０】
データパケットヘッダとデータパケットペイロードを含むデータパケットを受信する装置であって、
少なくとも１つのサービスデータユニットまたはセグメントされたサービスデータユニットを含むデータパケットペイロードと、
インディケータを含むデータヘッダと、
を含むデータパケットを受信チャネルを介して受信する受信部と、
前記受信したデータパケットの少なくとも１つのサービスデータユニットまたはセグメントされたサービスデータユニットを、前に受信したデータパケットと共に受信バッファに蓄積する蓄積部と、
を含み、
前記インディケータは前記データパケットペイロードがセグメントされたサービスデータユニットで始まっているか否かと、前記データパケットペイロードがセグメントされたサービスデータユニットで終わっている否かを示す、
装置。
【請求項１１】
データパケット送信方法であって、
少なくとも１つのサービスデータユニット（ＳＤＵ）またはセグメントされたサービスデータユニットをデータパケットペイロードに含むように形成するステップと、
インディケータをデータパケットヘッダに形成するステップと、
前記データパケットヘッダと前記データパケットペイロードを含んだデータパケットを形成するステップと、
送信装置が、前記データパケットをチャネルを介して送信するステップと、
を含む、
データパケット送信方法。
【手続補正２】
【補正対象書類名】明細書
【補正対象項目名】００３９
【補正方法】変更
【補正の内容】
【００３９】
さらに有利な実施形態においては、データパケット送信方法は、少なくとも１つのサービスデータユニット（ＳＤＵ）またはセグメントされたサービスデータユニットをデータパケットペイロードに含むように形成するステップと、インディケータをデータパケットヘッダに形成するステップと、前記データパケットヘッダと前記データパケットペイロードを含んだデータパケットを形成するステップと、送信装置が、前記データパケットをチャネルを介して送信するステップと、を含み、前記インディケータは、前記データパケットペイロードが前記セグメントされたサービスデータユニットで始まっているか否かと、前記データパケットペイロードが前記セグメントされたサービスデータユニットで終わっているか否か、を示すものである。
【手続補正３】
【補正対象書類名】明細書
【補正対象項目名】００４０
【補正方法】変更
【補正の内容】
【００４０】
別の有利な実施形態によると、データパケットペイロードは、複数のサービスデータユニット、複数のセグメントされたサービスデータユニット、または少なくとも１つのサービスデータユニットと１つのセグメントされたサービスデータユニットを含む場合に、前記インディケータは前記データパケットペイロードがセグメントされたサービスデータユニットで始まっているか否かと、前記データパケットペイロードがセグメントされたサービスデータユニットで終わっているか否かを示す。
データパケットペイロードが、複数のサービスデータユニット、複数のセグメントされたサービスデータユニット、または少なくとも１つのサービスデータユニットと１つのセグメントされたサービスデータユニットを含む場合に、前記インディケータは前記データパケットペイロードがセグメントされたサービスデータユニットで始まっているか否かと、前記データパケットペイロードがセグメントされたサービスデータユニットで終わっているか否かを示す。
【手続補正４】
【補正対象書類名】明細書
【補正対象項目名】００４１
【補正方法】変更
【補正の内容】
【００４１】
別の有利な実施形態によると、前記インディケータは第１ビットと第２ビットを含み、
前記第１ビットは前記データパケットペイロードが前記セグメントされたサービスデータユニットで始まっているか否かを示し、前記第２ビットは前記データパケットペイロードが前記セグメントされたサービスデータユニットで終わっているか否かを示す。
【手続補正５】
【補正対象書類名】明細書
【補正対象項目名】００４２
【補正方法】変更
【補正の内容】
【００４２】
別の有利な実施形態によると、前記データパケットペイロードが少なくとも１つのサービスデータユニットまたはセグメントされたサービスデータユニットを含む場合には、前記インディケータは、前記データパケットペイロードが前に送られたデータパケットのデータパケットペイロードと結合されるべきであるか否かと、前記データパケットペイロードが次に送られるデータパケットペイロードと結合されるべきであるか否かを示す。
【手続補正６】
【補正対象書類名】明細書
【補正対象項目名】００４３
【補正方法】変更
【補正の内容】
【００４３】
別の有利な実施形態においては、データパケットを送信する装置であって、データパケットペイロードが少なくとも１つのサービスデータユニットまたはセグメントされたサービスデータユニットを含むように形成するデータパケットペイロード形成部と、データパケットヘッダがインディケータを含むように形成するデータパケットヘッダ形成部と、データパケットが前記データパケットヘッダと前記データパケットペイロードを含むように形成するデータパケット形成部と、前記データパケットを送信チャネルを介して送信する送信部とを含み、前記インディケータは、前記データパケットペイロードがセグメントされたサービスデータユニットで始まっているか否かと、前記データパケットペイロードがセグメントされたサービスデータユニットで終わっているか否かを示す。
【手続補正７】
【補正対象書類名】明細書
【補正対象項目名】００４４
【補正方法】変更
【補正の内容】
【００４４】
別の有利な実施形態においては、前記データパケットペイロードが、複数のサービスデータユニット、複数のセグメントされたサービスデータユニット、または少なくとも１つのサービスデータユニットと１つのセグメントされたサービスデータユニットを含む場合に、前記インディケータは前記データパケットペイロードがセグメントされたサービスデータユニットで始まっているか否かと、前記データパケットペイロードがセグメントされたサービスデータユニットで終わっているか否かを示す。
【手続補正８】
【補正対象書類名】明細書
【補正対象項目名】００４５
【補正方法】変更
【補正の内容】
【００４５】
さらなる有利な実施形態においては、インディケータは第１ビットと第２ビットを含み、前記第１ビットは前記データパケットペイロードが前記セグメントされたサービスデータユニットで始まっているか否かを示し、前記第２ビットは前記データパケットペイロードが前記セグメントされたサービスデータユニットで終わっているか否かを示す。
【手続補正９】
【補正対象書類名】明細書
【補正対象項目名】００４６
【補正方法】変更
【補正の内容】
【００４６】
さらなる有利な実施形態においては、前記データパケットペイロードが少なくとも１つのサービスデータユニットまたはセグメントされたサービスデータユニットを含む場合には、前記インディケータは、前記データパケットペイロードが前に送られたデータパケットのデータパケットペイロードと結合されるべきであるか否かと、前記データパケットペイロードが次に送られるデータパケットペイロードと結合されるべきであるか否かを示す。
【手続補正１０】
【補正対象書類名】明細書
【補正対象項目名】００４７
【補正方法】変更
【補正の内容】
【００４７】
別の有利な実施形態においては、データパケットヘッダとデータパケットペイロードを含むデータパケットを受信する方法であって、受信装置が、少なくとも１つのサービスデータユニットまたはセグメントされたサービスデータユニットを含むデータパケットペイロードと、インディケータを含むデータヘッダと、を含むデータパケットをチャネルを介して受信するステップと、前記受信したデータパケットの少なくとも１つのサービスデータユニットまたはセグメントされたサービスデータユニットを、前に受信したデータパケットと共に受信バッファに蓄積するステップと、を含み、前記インディケータは前記データパケットペイロードがセグメントされたサービスデータユニットで始まっているか否かと、前記データパケットペイロードがセグメントされたサービスデータユニットで終わっているか否かを示す。
【手続補正１１】
【補正対象書類名】明細書
【補正対象項目名】００４８
【補正方法】変更
【補正の内容】
【００４８】
本発明の別の実施形態は、データパケットヘッダとデータパケットペイロードを含むデータパケットを受信する装置であって、少なくとも１つのサービスデータユニットまたはセグメントされたサービスデータユニットを含むデータパケットペイロードと、インディケータを含むデータヘッダと、を含むデータパケットを受信チャネルを介して受信する受信部と、前記受信したデータパケットの少なくとも１つのサービスデータユニットまたはセグメントされたサービスデータユニットを、前に受信したデータパケットと共に受信バッファに蓄積する蓄積部と、を含み、前記インディケータは前記データパケットペイロードがセグメントされたサービスデータユニットで始まっているか否かと、前記データパケットペイロードがセグメントされたサービスデータユニットで終わっている否かを示す。
【手続補正１２】
【補正対象書類名】明細書
【補正対象項目名】００４９
【補正方法】変更
【補正の内容】
【００４９】
別の有利な実施形態においては、データパケット送信方法であって、少なくとも１つのサービスデータユニット（ＳＤＵ）またはセグメントされたサービスデータユニットをデータパケットペイロードに含むように形成するステップと、インディケータをデータパケットヘッダに形成するステップと、前記データパケットヘッダと前記データパケットペイロードを含んだデータパケットを形成するステップと、送信装置が、前記データパケットをチャネルを介して送信するステップと、を含む。